(57)【要約】      （修正有）【課題】カバープレートを常時所定間隔で支持し、カバープレートが加わる荷重によって撓んだりするのを効率よく阻止できるとともに、地震によって左右の躯体が前後方向揺れ動いた場合でも安全に使用することができる床用目地装置を提供する。【解決手段】躯体の一方の躯体に設けられた第１の目地プレート支持部５と、躯体の他方の躯体に設けられた第２の目地プレート支持部６と、第２の目地プレート支持部６に一端部が枢支状態で取り付けられた複数のレール部材８と、第１の目地プレート支持部５に一端部側が支持され、複数のレール部材８に他端部側が支持された目地プレート９と、第２の目地プレート支持部６を覆うとともに、目地プレート９の上方に位置するように他方の躯体に設けられたカバープレート１０と、レール部材８に設けられ、カバープレート１０を支持するカバープレート支持機構１１とで構成される。【選択図】図１
2018096145.tif 000002
【特許請求の範囲】
【請求項１】
左右の躯体間の目地部を塞ぐ床用目地装置であって、前記躯体の一方の躯体に設けられた第１の目地プレート支持部と、前記躯体の他方の躯体に設けられた第２の目地プレート支持部と、該第２の目地プレート支持部に一端部が枢支状態で取り付けられた複数のレール部材と、前記第１の目地プレート支持部に一端部側が支持され、前記複数のレール部材に他端部側が支持された目地プレートと、前記第２の目地プレート支持部を覆うとともに、前記目地プレートの上方に位置するように前記他方の躯体に設けられたカバープレートと、前記レール部材に設けられ、前記カバープレートを支持するカバープレート支持機構とで構成され、
前記レール部材は、目地プレートの他端部側を支持するガイド溝及びカバープレート支持機構を取付ける凹所状のカバープレート支持機構取付部を備え、前記目地プレートは、一端部側が前記第１の目地プレート支持部に枢支され、他端部側が前記複数のレール部材のガイド溝に支持部材を介して支持される複数のバー部材と、該複数のバー部材を前後方向に接続するように枢支状態で取り付けられた複数の目地プレート本体とを有し、前記カバープレート支持機構は、前記カバープレート支持機構取付部に所定間隔を有して複数個回動可能に設けられ、直立状態では前記カバープレートを支持することができるとともに、目地プレート本体に側方から押圧された場合には回転することができる支持具と、該複数個の支持具を直立状態となるようにそれぞれ付勢する付勢具とから成る床用目地装置。
【請求項２】
通常時において第２の目地プレート支持部上に位置する目地プレート本体は、目地部上に位置する目地プレート本体よりも幅狭に形成されていることを特徴とする請求項１記載の床用目地装置。
【請求項３】
第２の目地プレート支持部には、滑り部材が敷設され、前記レール部材は、滑り部材上をスライド移動できるように取り付けられていることを特徴とする請求項１又は２のいずれかに記載の床用目地装置。
【発明の詳細な説明】
【技術分野】
【０００１】
本発明は目地部を介して設けられた躯体の間の目地部を塞ぐ床用目地装置に関する。
【背景技術】
【０００２】
従来、目地部を塞ぐ床用目地装置としては、「目地部を介して建てられた左右の躯体の目地部側の床面に、該目地部に開口するように形成された一対の凹部と、この一対の凹部のほぼ中央部に両端部が位置して前記目地部を覆う、該一対の凹部内をスライド移動可能な目地プレートと、この目地プレートの両端部の前記一対の凹部に位置している部位を覆うように前記左右の躯体の躯体に固定された一対のカバープレートと、この一対のカバープレート内の凹部に、該一対のカバープレートに加わる荷重を支持することができる支持体に所定間隔で支持された、前記凹部に支持される複数の下部支持ローラー、前記支持体に所定間隔で支持される前記一対のカバープレートを支持する複数個の上部支持ローラーとからなる一対のカバープレート荷重支持具と、この一対のカバープレート荷重支持具を前記一対のカバープレート内の凹部のほぼ中央部に常時位置させる一対の中央維持具とで構成される床用目地装置」が知られている（特許文献１）。
【０００３】
しかしながら、地震によって目地部が狭くなった際に、目地プレートがカバープレート荷重支持具と衝突して、破損するおそれがある。
【０００４】
そこで、目地プレートが設けられる前記一対の凹部の寸法を大きく設定しなければならず、コストが高くなるとともに、凹部を形成するためのスペースが大きくなってしまい、目地部が広くなった際には、１つのカバープレート荷重支持具だけでは、カバープレートに荷重がかかった場合、カバープレート荷重支持具がある位置以外では、この荷重を支えきれず、カバープレートが撓んでしまうという欠点があった。
【０００５】
また、このような床用目地装置では、左右の躯体が異なる前後方向に揺れ動いた際に、目地プレートが前後方向に動くことができないため、躯体の壁面や目地プレートが破損してしまうという欠点があった。
【先行技術文献】
【特許文献】
【０００６】
【特許文献１】特許第３４４５２０８号公報
【発明の概要】
【発明が解決しようとする課題】
【０００７】
本発明は以上のような従来の欠点に鑑み、目地プレート支持部（躯体の壁面から該躯体の内部方向の支持部）の寸法を大きくすることなく、カバープレートを常時支持でき、これによりカバープレートが加わる荷重によって曲面状に撓んだりするのを効率よく阻止できるとともに、地震によって左右の躯体が前後方向揺れ動いた場合でも安全に使用することができる床用目地装置を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明の床用目地装置は、左右の躯体間の目地部を塞ぐ床用目地装置であって、前記躯体の一方の躯体に設けられた第１の目地プレート支持部と、前記躯体の他方の躯体に設けられた第２の目地プレート支持部と、該第２の目地プレート支持部に一端部が枢支状態で取り付けられた複数のレール部材と、前記第１の目地プレート支持部に一端部側が支持され、前記複数のレール部材に他端部側が支持された目地プレートと、前記第２の目地プレート支持部を覆うとともに、前記目地プレートの上方に位置するように前記他方の躯体に設けられたカバープレートと、前記レール部材に設けられ、前記カバープレートを支持するカバープレート支持機構とで構成され、
前記レール部材は、目地プレートの他端部側を支持するガイド溝及びカバープレート支持機構を取付ける凹所状のカバープレート支持機構取付部を備え、前記目地プレートは、一端部側が前記第１の目地プレート支持部に枢支され、他端部側が前記複数のレール部材のガイド溝に支持部材を介して支持される複数のバー部材と、該複数のバー部材を前後方向に接続するように枢支状態で取り付けられた複数の目地プレート本体とを有し、前記カバープレート支持機構は、前記カバープレート支持機構取付部に所定間隔を有して複数個回動可能に設けられ、直立状態では前記カバープレートを支持することができるとともに、目地プレート本体に側方から押圧された場合には回転することができる支持具と、該複数個の支持具を直立状態となるようにそれぞれ付勢する付勢具とから成る。
【発明の効果】
【００１０】
以上の説明から明らかなように、本発明にあっては次に列挙する効果が得られる。
（１）請求項１に記載の発明においては、目地プレート本体により押圧された場合には回転することができる支持具を有するカバープレート支持機構によってカバープレートを支持しているので、地震によって目地部が狭くなり目地プレート本体に側方から押圧された場合には、ローラー及び該支持具が目地プレートの下側に潜りこむので、目地プレートとカバープレート支持機構の衝突による破損防止のために目地プレート支持部の寸法を大きくしなくてもよい。
（２）また、支持具は所定間隔を有してレール部材に複数個設けられているので、目地部が広くなっても狭くなっても所定間隔でカバープレートを支持することができ、カバープレートが撓むことを効率よく防止できる。
（３）レール部材及び複数のバー部材は一端部が枢支状態で取り付けられているとともに、前記目地プレート本体は複数のバー部材を前後方向に接続するように枢支状態で取り付けられているので、地震によって左右の躯体が異なる前後方向に揺れ動いても、破損することなくその揺れ動きを吸収することができる。
（４）レール部材はガイド溝及び上面が開口した凹所状のカバープレート支持機構を備えているので、レール部材の断面は略Ｅ字状とり、レール部材の剛性を高めることができる。
（５）請求項２に記載の発明においても、前記（１）〜（４）と同様な効果が得られるとともに、異なる前後方向に揺れ動いても壁面に目地プレート等が衝突することを確実に防止でき、その揺れ動きを吸収することができる。
（６）請求項３に記載の発明においても、前記（１）〜（５）と同様な効果が得られるとともに、地震によって左右の躯体が異なる前後方向に揺れ動いた場合に、前記レール部材をよりスムーズに枢支ピンを回転軸として回転させることができる。
【図面の簡単な説明】
【００１１】
図１乃至図１０は本発明の第１の実施形態を示す説明図である。
図１１乃至図１４は本発明の第２の実施形態を示す説明図である。
【図１】第１の実施形態を示す床用目地装置の平面図（通常時）。
【図２】図１の２−２線に沿う断面図。
【図３】図１の３−３線に沿う断面図。
【図４】目地プレートの斜視説明図。
【図５】レール部材の斜視説明図。
【図６】カバープレート支持機構の斜視説明図。
【図７】滑り部材の斜視説明図。
【図８】地震で目地部が狭くなった正面視側からの動作説明図。
【図９】地震で目地部が広くなった正面視側からの動作説明図。
【図１０】地震で躯体が異なる前後方向に揺れ動いた状態の平面視側からの動作説明図。
【図１１】第２の実施形態を示す床用目地装置の平面図。
【図１２】図１１の１２−１２線に沿う断面図。
【図１３】目地プレート本体の斜視説明図。
【図１４】レール部材の斜視説明図。
【発明を実施するための形態】
【００１２】
以下、図面に示す本発明を実施するための形態により、本発明を詳細に説明する。
図１乃至図１０に示す本発明を実施するための第１の形態において、１は目地部２を介して設けられた一方の躯体３及び他方の躯体４間に設置された床用目地装置である。
なお、左右方向とは図１（平面視）における左右方向であり、前後方向とは図１における上下方向をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態の床用目地装置１は、例えば図３を参照すると、第２の目地プレート支持部６の内側底面に略等間隔を有して並列状態に配設された複数のレール部材８（図５参照）と、各レール部材８の一方の垂直側壁にそれぞれ沿って形成されたガイド溝７に案内され、かつ、滑動及び支持機能を有する複数個の支持部材１５を下方に有する複数のバー部材１６を備えている目地プレート９と、この目地プレート６の上面に載置されるとともに、前記ガイド溝７と同様に各レール部材８の隔壁及び他方の垂直側壁にそれぞれ沿って形成された凹所状のカバープレート支持機構取付部２４にそれぞれ設けられた複数のカバープレート支持機構１１に支持されるカバープレート１０とを組み合わせた構造体である。
【００１５】
すなわち、この床用目地装置１は、図１乃至図３に示すように、前記左右の躯体の一方の躯体３に設けられた第１の目地プレート支持部５と、前記左右の躯体の他方４の躯体に設けられた第２の目地プレート支持部６と、該第２の目地プレート支持部６に一端部が枢支状態で取り付けられ、かつ複数のバー部材１６用のガイド溝７を有する複数のレール部材８と、前記第１の目地プレート支持部５に一端部が支持され、前記複数のレール部材８に他端部が支持された目地プレート９と、前記第２の目地プレート支持部６を覆うとともに、前記目地プレート９の上方に位置するように前記他方の躯体４に設けられたカバープレート１０と、前記レール部材８に設けられ、前記カバープレート１０を支持するカバープレート支持機構１１と、前記第２の目地プレート支持部６上に敷設された滑り部材１２で構成されている。
【００１６】
なお、前記第２の目地プレート支持部６は、前記他方の躯体４の床面に凹所状に形成されており、本実施の形態においては、目地部の約２倍の寸法に形成されている。
【００１７】
前記目地プレート９は、図４に示すように、一端部が前記第１の目地プレート支持部５に枢支ピン１４により枢支され、他端部が前記複数のレール部材８のガイド溝７に支持部材１５としてのローラーを介して支持される直方体状の複数のバー部材１６と、該複数のバー部材１６を前後方向に接続するように枢支状態で取り付けられた複数の目地プレート本体１７とで構成されている。なお、支持部材１５としてローラーではなく、バー部材１６の先端部をレール部材８のガイド溝７内に位置するように下方に折り曲げても良い。この場合、ガイド溝７にベアリング等を備え、支持部材１５がガイド溝７内をスムーズにスライド移動できるようにすることが望ましい。
【００１８】
前記目地プレート本体１７は、図２等に示すように正面視クランク状に形成されており、他の目地プレート本体１７と一部が重なりあうように、設けられている。また、一枚の目地プレート本体１７は図１等に示すように複数のバー部材１６にわたって枢支状態で設けられており、複数のバー部材１６を前後方向に接続するように枢支されている。このように目地プレート本体１７を設けることにより、地震によって左右の躯体３、４が異なる前後方向に揺れ動いた場合に、図９に示すように目地プレート本体１７自体が傾くことなく（躯体と略平行状態を維持した状態）、揺れ動きを吸収することができる。
【００１９】
なお、本実施の形態では通常時において第２の目地プレート支持部６上に位置する目地プレート本体１７は、目地部上に位置する目地プレート本体１７よりも幅狭（前後方向の寸法が短い）に形成されている。このように目地プレート本体１７を形成することにより、地震によって左右の躯体３、４が異なる前後方向に揺れ動いた場合であっても、目地プレート本体１７が第２の目地プレート支持部の両側部に衝突することを防止できる。
【００２０】
前記レール部材８は、図５に示すように、長手方向の寸法が前記第２の目地プレート支持部６よりも短い寸法に形成されており、断面形状は本実施形態においては上向き略コ字状の凹所を有するレールを２つを一体的に形成した形状、すなわち略Ｅ字状（Ｅの長辺を底辺とした形）となっている。この略Ｅ字状の凹所の一方の凹所がガイド溝７となっており、他方の凹所がカバープレート支持機構取付部２４となり、この部位にはカバープレート支持機構１１が設けられる。
【００２１】
なお、本実施形態においては、ガイド溝７とカバープレート支持機構取付部２４を一体的に設けた略Ｅ字状のレール部材８としているが、上面開口した略コ字状の部材２つを螺合、溶接等により固定してレール部材８を形成してもよい。
【００２２】
このレール部材８は、一端部（他方の躯体側の端部）が枢支ピン１３によって回動可能な状態で前記第２の目地プレート支持部６の前後方向に複数個設けられている。なお、枢支ピン１３が設けられている端部以外は、前記滑り部材１２に支持されており、枢支ピン１３は前記ガイド溝７の幅方向の略中央部位に設けられており、前記枢支ピン１４と対向する位置にそれぞれ設けられている。すなわち、枢支ピン１３と枢支ピン１４を結ぶ線とレール部材８やバー部材１６の軸心とは略平行状態となっている。
【００２３】
前記カバープレート１０は、平面視方形状の金属製の板材で、一端部が前記他方の躯体４の床面に固定され、他端部（目地部側の端部）は前記目地プレート９の上面に支持されている。また、この他端部は、図２等に示すように前記他方の躯体４の目地部側の壁面と略同一面となるような寸法に形成されている。
【００２４】
前記カバープレート支持機構１１は、図６に示すように前記レール部材８のカバープレート支持機構取付部２４に所定間隔を有して回動可能に設けられ、直立状態では前記カバープレート１０を支持することができるとともに、目地プレート本体１７に押圧された場合には回転することができる略Ｌ字状で金属製の複数の支持具１８と、該複数の支持具１８の上端部に設けられたローラー２１と、該複数の支持具１８を直立状態となるようにそれぞれ付勢する付勢具１９とで構成されている。
【００２５】
前記支持具１８のローラー２１付近には、前記付勢具１９を取付ける付勢具取付部２０が形成され、前記付勢具１９（本実施の形態においてはコイルスプリング）の一端部がカバープレート支持機構取付部２４に固定され、他端部が前記付勢具取付部２０に固定される。
【００２６】
また、この支持具１８は、直立状態において前記ローラー２１によって前記カバープレート１０の底面を支持しており、地震によって目地部２が狭くなる方向に躯体が揺れ動き、前記目地プレート本体１７がローラー２１を押圧し、前記支持具本体２０が押圧された方向に傾倒した際には、前記ローラー２１が目地プレート本体１７の底面に当接するので、目地プレート本体１７の底面との間に大きな摩擦力が発生せずスムーズにスライド移動できる。
【００２７】
前記滑り部材１２は、図７に示すように、平面視長方形状の板材で、前後方向の端部に、第２の目地プレート支持部６の長手方向に向かってコロ部材取付部２２が形成されており、このコロ部材取付部２２には、円柱状のコロ部材２３が取り付けられる。このコロ部材２３は、前記レール部材８が枢支ピン１３を支点に回転する際に、スムーズに回転できるよう、前後方向にコロ部材２３が回転するように取り付けられている。
【００２８】
地震で躯体３、４が左右方向に揺れ動き目地部２が狭くなると、図８に示すように、目地プレート９の支持部材としてのローラー１５がレール部材８のガイド溝７に沿って左右方向にスライド移動するとともに、目地プレート本体１７に押圧されたカバープレート支持機構１１の支持具１８が押圧された方向に傾き、揺れ動きを吸収する。このときカバープレート支持機構１１の支持具１８が傾き、カバープレート１０を直接支持できなくても、その部位には目地プレート９が位置するため、カバープレート１０を目地プレート９が支持することになり、カバープレート１０が撓むことを防止できる。また、目地プレートが位置しない部位については、通常時と同様にカバープレート支持機構１１の支持具１８がカバープレート１０を支持する。
【００２９】
地震による揺れ動きが終了し、目地部２の寸法が通常時と同様に復帰した場合には、目地プレート本体１７によって押圧され傾倒していたカバープレート支持機構１１の支持具１８は、付勢具１９の付勢力により直立状態となってカバープレート１０を支持する。
【００３０】
地震で躯体３、４が左右方向に揺れ動き目地部２が広くなると、図９に示すように、目地プレート９の支持部材としてのローラー１５がレール部材８のガイド溝７に沿って左右方向にスライド移動し揺れ動きを吸収する。このとき、通常時は目地プレート９によってカバープレート１０を支持していた部位に設けられているカバープレート支持機構１１の支持具１８は、付勢具１９の付勢力により直立状態となってカバープレート１０を支持する。これにより、目地部２が広くなってもカバープレート１０が撓むことを防止できる。
地震で躯体３、４が異なる前後方向に揺れ動くと、図１０に示すように、目地プレート９のバー部材１６が前記枢支ピン１４を回転軸に前後方向に回転するとともに、レール部材８も前記枢支ピン１３を回転軸に前後方向に回転し、その揺れ動きを吸収する。この時、本実施の形態では通常時において第２の目地プレート支持部６上に位置する目地プレート本体１７は、目地部上に位置する目地プレート本体１７よりも幅狭（前後方向の寸法が短い）に形成されているため、他方の躯体４の壁面等に衝突することなく揺れ動きを吸収できる。
【００３１】
なお、前後方向に揺れ動いた場合に、第２の目地プレート支持部６に目地プレート本体１７が逃げられるスペースがある場合には、通常時において第２の目地プレート支持部６上に位置する目地プレート本体１７を幅狭にしなくてもよい。
【００３２】
[発明を実施するための異なる形態]
次に、図１１乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３３】
図１１乃至図１４に示す本発明を実施するための第２の形態において、前記本発明を実施するための第１の形態と主に異なる点は、２枚の板材を互い違いに結合して略クランク状の目地プレート本体１７Ａを用いた目地プレート９Ａにするとともに、上向きコ字状の断面形状を有するレール２本を溶接、螺合等で結合し、と、レール部材８Ａを形成した点で、このような目地装置１Ａにしても、前記本発明を実施するための第１の形態と同様の作用効果を得ることができる。
【００３４】
なお、本実施の形態においては、左右の躯体の壁面間に外壁用目地装置等を図示していないが、必要に応じて外壁用目地装置を用いるとよい。
また、カバープレート支持機構の付勢具としてコイルスプリングを用いるものについて説明したが、支持具の回転軸にゼンマイバネを設けて付勢具としてもよく、支持具の先端（ローラーを設けていない先端）に重り等を用いて自重で直立するように付勢してもよい。
【産業上の利用可能性】
【００３５】
本発明は目地装置を製造する産業で利用される。
【符号の説明】
【００３６】
１、１Ａ：床用目地装置、            ２：目地部、
３：一方の躯体、                    ４：他方の躯体、
５：第１の目地プレート支持部、      ６：第２の目地プレート支持部、
７：ガイド溝、                      ８、８Ａ：レール部材、
９、９Ａ：目地プレート、            １０：カバープレート、
１１：カバープレート支持機構、      １２：滑り部材、
１３：枢支ピン、                    １４：枢支ピン、
１５：支持部材、                    １６：バー部材、
１７、１７Ａ：目地プレート本体、    １８：支持具、
１９：付勢具、                      ２０：付勢具取付部、
２１：ローラー、                    ２２：コロ部材取付部、
２３：コロ部材、                    ２４：カバープレート支持機構取付部。
【図１】
2018096145.tif 000003
【図２】
2018096145.tif 000004
【図３】
2018096145.tif 000005
【図４】
2018096145.tif 000006
【図５】
2018096145.tif 000007
【図６】
2018096145.tif 000008
【図７】
2018096145.tif 000009
【図８】
2018096145.tif 000010
【図９】
2018096145.tif 000011
【図１０】
2018096145.tif 000012
【図１１】
2018096145.tif 000013
【図１２】
2018096145.tif 000014
【図１３】
2018096145.tif 000015
【図１４】
2018096145.tif 000016
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
左右の躯体間の目地部を塞ぐ床用目地装置であって、前記躯体の一方の躯体に設けられた第１の目地プレート支持部と、前記躯体の他方の躯体に設けられた第２の目地プレート支持部と、該第２の目地プレート支持部に一端部が枢支状態で取り付けられた複数のレール部材と、前記第１の目地プレート支持部に一端部側が支持され、前記複数のレール部材に他端部側が支持された目地プレートと、前記第２の目地プレート支持部を覆うとともに、前記目地プレートの上方に位置するように前記他方の躯体に設けられたカバープレートと、前記レール部材に設けられ、前記カバープレートを支持するカバープレート支持機構とで構成され、
前記レール部材は、目地プレートの他端部側を支持するガイド溝及びカバープレート支持機構を取付ける凹所状のカバープレート支持機構取付部を備え、前記目地プレートは、一端部側が前記第１の目地プレート支持部に枢支され、他端部側が前記複数のレール部材のガイド溝に支持部材を介して支持される複数のバー部材と、該複数のバー部材を前後方向に接続するように、前記バー部材に枢支状態で取り付けられた複数の目地プレート本体とを有し、前記カバープレート支持機構は、前記カバープレート支持機構取付部に所定間隔を有して複数個回動可能に設けられ、直立状態では前記カバープレートを支持することができるとともに、目地プレート本体に側方から押圧された場合には回転することができる支持具と、該複数個の支持具を直立状態となるようにそれぞれ付勢する付勢具とから成る床用目地装置。
【請求項２】
通常時において第２の目地プレート支持部上に位置する目地プレート本体は、目地部上に位置する目地プレート本体よりも幅狭に形成されていることを特徴とする請求項１記載の床用目地装置。
【請求項３】
第２の目地プレート支持部には、滑り部材が敷設され、該滑り部材は、前記レール部材が枢支ピンを支点に回転する際に、スムーズに回転できるように取り付けられていることを特徴とする請求項１又は２のいずれかに記載の床用目地装置。
【手続補正２】
【補正対象書類名】明細書
【補正対象項目名】全文
【補正方法】変更
【補正の内容】
【発明の詳細な説明】
【技術分野】
【０００１】
本発明は目地部を介して設けられた躯体の間の目地部を塞ぐ床用目地装置に関する。
【背景技術】
【０００２】
従来、目地部を塞ぐ床用目地装置としては、「目地部を介して建てられた左右の躯体の目地部側の床面に、該目地部に開口するように形成された一対の凹部と、この一対の凹部のほぼ中央部に両端部が位置して前記目地部を覆う、該一対の凹部内をスライド移動可能な目地プレートと、この目地プレートの両端部の前記一対の凹部に位置している部位を覆うように前記左右の躯体の躯体に固定された一対のカバープレートと、この一対のカバープレート内の凹部に、該一対のカバープレートに加わる荷重を支持することができる支持体に所定間隔で支持された、前記凹部に支持される複数の下部支持ローラー、前記支持体に所定間隔で支持される前記一対のカバープレートを支持する複数個の上部支持ローラーとからなる一対のカバープレート荷重支持具と、この一対のカバープレート荷重支持具を前記一対のカバープレート内の凹部のほぼ中央部に常時位置させる一対の中央維持具とで構成される床用目地装置」が知られている（特許文献１）。
【０００３】
しかしながら、地震によって目地部が狭くなった際に、目地プレートがカバープレート荷重支持具と衝突して、破損するおそれがある。
【０００４】
そこで、目地プレートが設けられる前記一対の凹部の寸法を大きく設定しなければならず、コストが高くなるとともに、凹部を形成するためのスペースが大きくなってしまい、目地部が広くなった際には、１つのカバープレート荷重支持具だけでは、カバープレートに荷重がかかった場合、カバープレート荷重支持具がある位置以外では、この荷重を支えきれず、カバープレートが撓んでしまうという欠点があった。
【０００５】
また、このような床用目地装置では、左右の躯体が異なる前後方向に揺れ動いた際に、目地プレートが前後方向に動くことができないため、躯体の壁面や目地プレートが破損してしまうという欠点があった。
【先行技術文献】
【特許文献】
【０００６】
【特許文献１】特許第３４４５２０８号公報
【発明の概要】
【発明が解決しようとする課題】
【０００７】
本発明は以上のような従来の欠点に鑑み、目地プレート支持部（躯体の壁面から該躯体の内部方向の支持部）の寸法を大きくすることなく、カバープレートを常時支持でき、これによりカバープレートが加わる荷重によって曲面状に撓んだりするのを効率よく阻止できるとともに、地震によって左右の躯体が前後方向揺れ動いた場合でも安全に使用することができる床用目地装置を提供することを目的としている。
【０００８】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００９】
上記目的を達成するために、本発明の床用目地装置は、左右の躯体間の目地部を塞ぐ床用目地装置であって、前記躯体の一方の躯体に設けられた第１の目地プレート支持部と、前記躯体の他方の躯体に設けられた第２の目地プレート支持部と、該第２の目地プレート支持部に一端部が枢支状態で取り付けられた複数のレール部材と、前記第１の目地プレート支持部に一端部側が支持され、前記複数のレール部材に他端部側が支持された目地プレートと、前記第２の目地プレート支持部を覆うとともに、前記目地プレートの上方に位置するように前記他方の躯体に設けられたカバープレートと、前記レール部材に設けられ、前記カバープレートを支持するカバープレート支持機構とで構成され、
前記レール部材は、目地プレートの他端部側を支持するガイド溝及びカバープレート支持機構を取付ける凹所状のカバープレート支持機構取付部を備え、前記目地プレートは、一端部側が前記第１の目地プレート支持部に枢支され、他端部側が前記複数のレール部材のガイド溝に支持部材を介して支持される複数のバー部材と、該複数のバー部材を前後方向に接続するように枢支状態で取り付けられた複数の目地プレート本体とを有し、前記カバープレート支持機構は、前記カバープレート支持機構取付部に所定間隔を有して複数個回動可能に設けられ、直立状態では前記カバープレートを支持することができるとともに、目地プレート本体に側方から押圧された場合には回転することができる支持具と、該複数個の支持具を直立状態となるようにそれぞれ付勢する付勢具とから成る。
【発明の効果】
【００１０】
以上の説明から明らかなように、本発明にあっては次に列挙する効果が得られる。
（１）請求項１に記載の発明においては、目地プレート本体により押圧された場合には回転することができる支持具を有するカバープレート支持機構によってカバープレートを支持しているので、地震によって目地部が狭くなり目地プレート本体に側方から押圧された場合には、ローラー及び該支持具が目地プレートの下側に潜りこむので、目地プレートとカバープレート支持機構の衝突による破損防止のために目地プレート支持部の寸法を大きくしなくてもよい。
（２）また、支持具は所定間隔を有してレール部材に複数個設けられているので、目地部が広くなっても狭くなっても所定間隔でカバープレートを支持することができ、カバープレートが撓むことを効率よく防止できる。
（３）レール部材及び複数のバー部材は一端部が枢支状態で取り付けられているとともに、前記目地プレート本体は複数のバー部材を前後方向に接続するように枢支状態で取り付けられているので、地震によって左右の躯体が異なる前後方向に揺れ動いても、破損することなくその揺れ動きを吸収することができる。
（４）レール部材はガイド溝及び上面が開口した凹所状のカバープレート支持機構を備えているので、レール部材の断面は略Ｅ字状とり、レール部材の剛性を高めることができる。
（５）請求項２に記載の発明においても、前記（１）〜（４）と同様な効果が得られるとともに、異なる前後方向に揺れ動いても壁面に目地プレート等が衝突することを確実に防止でき、その揺れ動きを吸収することができる。
（６）請求項３に記載の発明においても、前記（１）〜（５）と同様な効果が得られるとともに、地震によって左右の躯体が異なる前後方向に揺れ動いた場合に、前記レール部材をよりスムーズに枢支ピンを回転軸として回転させることができる。
【図面の簡単な説明】
【００１１】
図１乃至図１０は本発明の第１の実施形態を示す説明図である。
図１１乃至図１４は本発明の第２の実施形態を示す説明図である。
【図１】第１の実施形態を示す床用目地装置の平面図（通常時）。
【図２】図１の２−２線に沿う断面図。
【図３】図１の３−３線に沿う断面図。
【図４】目地プレートの斜視説明図。
【図５】レール部材の斜視説明図。
【図６】カバープレート支持機構の斜視説明図。
【図７】滑り部材の斜視説明図。
【図８】地震で目地部が狭くなった正面視側からの動作説明図。
【図９】地震で目地部が広くなった正面視側からの動作説明図。
【図１０】地震で躯体が異なる前後方向に揺れ動いた状態の平面視側からの動作説明図。
【図１１】第２の実施形態を示す床用目地装置の平面図。
【図１２】図１１の１２−１２線に沿う断面図。
【図１３】目地プレート本体の斜視説明図。
【図１４】レール部材の斜視説明図。
【発明を実施するための形態】
【００１２】
以下、図面に示す本発明を実施するための形態により、本発明を詳細に説明する。
図１乃至図１０に示す本発明を実施するための第１の形態において、１は目地部２を介して設けられた一方の躯体３及び他方の躯体４間に設置された床用目地装置である。
なお、左右方向とは図１（平面視）における左右方向であり、前後方向とは図１における上下方向をいう。
【００１３】
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
【００１４】
本実施形態の床用目地装置１は、例えば図３を参照すると、第２の目地プレート支持部６の内側底面に略等間隔を有して並列状態に配設された複数のレール部材８（図５参照）と、各レール部材８の一方の垂直側壁にそれぞれ沿って形成されたガイド溝７に案内され、かつ、滑動及び支持機能を有する複数個の支持部材１５を下方に有する複数のバー部材１６を備えている目地プレート９と、この目地プレート６の上面に載置されるとともに、前記ガイド溝７と同様に各レール部材８の隔壁及び他方の垂直側壁にそれぞれ沿って形成された凹所状のカバープレート支持機構取付部２４にそれぞれ設けられた複数のカバープレート支持機構１１に支持されるカバープレート１０とを組み合わせた構造体である。
【００１５】
すなわち、この床用目地装置１は、図１乃至図３に示すように、前記左右の躯体の一方の躯体３に設けられた第１の目地プレート支持部５と、前記左右の躯体の他方４の躯体に設けられた第２の目地プレート支持部６と、該第２の目地プレート支持部６に一端部が枢支状態で取り付けられ、かつ複数のバー部材１６用のガイド溝７を有する複数のレール部材８と、前記第１の目地プレート支持部５に一端部が支持され、前記複数のレール部材８に他端部が支持された目地プレート９と、前記第２の目地プレート支持部６を覆うとともに、前記目地プレート９の上方に位置するように前記他方の躯体４に設けられたカバープレート１０と、前記レール部材８に設けられ、前記カバープレート１０を支持するカバープレート支持機構１１と、前記第２の目地プレート支持部６上に敷設された滑り部材１２で構成されている。
【００１６】
なお、前記第２の目地プレート支持部６は、前記他方の躯体４の床面に凹所状に形成されており、本実施の形態においては、目地部の約２倍の寸法に形成されている。
【００１７】
前記目地プレート９は、図４に示すように、一端部が前記第１の目地プレート支持部５に枢支ピン１４により枢支され、他端部が前記複数のレール部材８のガイド溝７に支持部材１５としてのローラーを介して支持される直方体状の複数のバー部材１６と、該複数のバー部材１６を前後方向に接続するように枢支状態で取り付けられた複数の目地プレート本体１７とで構成されている。なお、支持部材１５としてローラーではなく、バー部材１６の先端部をレール部材８のガイド溝７内に位置するように下方に折り曲げても良い。この場合、ガイド溝７にベアリング等を備え、支持部材１５がガイド溝７内をスムーズにスライド移動できるようにすることが望ましい。
【００１８】
前記目地プレート本体１７は、図２等に示すように正面視クランク状に形成されており、他の目地プレート本体１７と一部が重なりあうように、設けられている。また、一枚の目地プレート本体１７は図１等に示すように複数のバー部材１６にわたって枢支状態で設けられており、複数のバー部材１６を前後方向に接続するように枢支されている。このように目地プレート本体１７を設けることにより、地震によって左右の躯体３、４が異なる前後方向に揺れ動いた場合に、図９に示すように目地プレート本体１７自体が傾くことなく（躯体と略平行状態を維持した状態）、揺れ動きを吸収することができる。
【００１９】
なお、本実施の形態では通常時において第２の目地プレート支持部６上に位置する目地プレート本体１７は、目地部上に位置する目地プレート本体１７よりも幅狭（前後方向の寸法が短い）に形成されている。このように目地プレート本体１７を形成することにより、地震によって左右の躯体３、４が異なる前後方向に揺れ動いた場合であっても、目地プレート本体１７が第２の目地プレート支持部の両側部に衝突することを防止できる。
【００２０】
前記レール部材８は、図５に示すように、長手方向の寸法が前記第２の目地プレート支持部６よりも短い寸法に形成されており、断面形状は本実施形態においては上向き略コ字状の凹所を有するレールを２つを一体的に形成した形状、すなわち略Ｅ字状（Ｅの長辺を底辺とした形）となっている。この略Ｅ字状の凹所の一方の凹所がガイド溝７となっており、他方の凹所がカバープレート支持機構取付部２４となり、この部位にはカバープレート支持機構１１が設けられる。
【００２１】
なお、本実施形態においては、ガイド溝７とカバープレート支持機構取付部２４を一体的に設けた略Ｅ字状のレール部材８としているが、上面開口した略コ字状の部材２つを螺合、溶接等により固定してレール部材８を形成してもよい。
【００２２】
このレール部材８は、一端部（他方の躯体側の端部）が枢支ピン１３によって回動可能な状態で前記第２の目地プレート支持部６の前後方向に複数個設けられている。なお、枢支ピン１３が設けられている端部以外は、前記滑り部材１２に支持されており、枢支ピン１３は前記ガイド溝７の幅方向の略中央部位に設けられており、前記枢支ピン１４と対向する位置にそれぞれ設けられている。すなわち、枢支ピン１３と枢支ピン１４を結ぶ線とレール部材８やバー部材１６の軸心とは略平行状態となっている。
【００２３】
前記カバープレート１０は、平面視方形状の金属製の板材で、一端部が前記他方の躯体４の床面に固定され、他端部（目地部側の端部）は前記目地プレート９の上面に支持されている。また、この他端部は、図２等に示すように前記他方の躯体４の目地部側の壁面と略同一面となるような寸法に形成されている。
【００２４】
前記カバープレート支持機構１１は、図６に示すように前記レール部材８のカバープレート支持機構取付部２４に所定間隔を有して回動可能に設けられ、直立状態では前記カバープレート１０を支持することができるとともに、目地プレート本体１７に押圧された場合には回転することができる略Ｌ字状で金属製の複数の支持具１８と、該複数の支持具１８の上端部に設けられたローラー２１と、該複数の支持具１８を直立状態となるようにそれぞれ付勢する付勢具１９とで構成されている。
【００２５】
前記支持具１８のローラー２１付近には、前記付勢具１９を取付ける付勢具取付部２０が形成され、前記付勢具１９（本実施の形態においてはコイルスプリング）の一端部がカバープレート支持機構取付部２４に固定され、他端部が前記付勢具取付部２０に固定される。
【００２６】
また、この支持具１８は、直立状態において前記ローラー２１によって前記カバープレート１０の底面を支持しており、地震によって目地部２が狭くなる方向に躯体が揺れ動き、前記目地プレート本体１７がローラー２１を押圧し、前記支持具本体２０が押圧された方向に傾倒した際には、前記ローラー２１が目地プレート本体１７の底面に当接するので、目地プレート本体１７の底面との間に大きな摩擦力が発生せずスムーズにスライド移動できる。
【００２７】
前記滑り部材１２は、図７に示すように、平面視長方形状の板材で、左右方向の端部に、第２の目地プレート支持部６の長手方向に向かってコロ部材取付部２２が形成されており、このコロ部材取付部２２には、円柱状のコロ部材２３が取り付けられる。このコロ部材２３は、前記レール部材８が枢支ピン１３を支点に回転する際に、スムーズに回転できるように取り付けられている。
【００２８】
地震で躯体３、４が左右方向に揺れ動き目地部２が狭くなると、図８に示すように、目地プレート９の支持部材としてのローラー１５がレール部材８のガイド溝７に沿って左右方向にスライド移動するとともに、目地プレート本体１７に押圧されたカバープレート支持機構１１の支持具１８が押圧された方向に傾き、揺れ動きを吸収する。このときカバープレート支持機構１１の支持具１８が傾き、カバープレート１０を直接支持できなくても、その部位には目地プレート９が位置するため、カバープレート１０を目地プレート９が支持することになり、カバープレート１０が撓むことを防止できる。また、目地プレートが位置しない部位については、通常時と同様にカバープレート支持機構１１の支持具１８がカバープレート１０を支持する。
【００２９】
地震による揺れ動きが終了し、目地部２の寸法が通常時と同様に復帰した場合には、目地プレート本体１７によって押圧され傾倒していたカバープレート支持機構１１の支持具１８は、付勢具１９の付勢力により直立状態となってカバープレート１０を支持する。
【００３０】
地震で躯体３、４が左右方向に揺れ動き目地部２が広くなると、図９に示すように、目地プレート９の支持部材としてのローラー１５がレール部材８のガイド溝７に沿って左右方向にスライド移動し揺れ動きを吸収する。このとき、通常時は目地プレート９によってカバープレート１０を支持していた部位に設けられているカバープレート支持機構１１の支持具１８は、付勢具１９の付勢力により直立状態となってカバープレート１０を支持する。これにより、目地部２が広くなってもカバープレート１０が撓むことを防止できる。
地震で躯体３、４が異なる前後方向に揺れ動くと、図１０に示すように、目地プレート９のバー部材１６が前記枢支ピン１４を回転軸に前後方向に回転するとともに、レール部材８も前記枢支ピン１３を回転軸に前後方向に回転し、その揺れ動きを吸収する。この時、本実施の形態では通常時において第２の目地プレート支持部６上に位置する目地プレート本体１７は、目地部上に位置する目地プレート本体１７よりも幅狭（前後方向の寸法が短い）に形成されているため、他方の躯体４の壁面等に衝突することなく揺れ動きを吸収できる。
【００３１】
なお、前後方向に揺れ動いた場合に、第２の目地プレート支持部６に目地プレート本体１７が逃げられるスペースがある場合には、通常時において第２の目地プレート支持部６上に位置する目地プレート本体１７を幅狭にしなくてもよい。
【００３２】
[発明を実施するための異なる形態]
次に、図１１乃至図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００３３】
図１１乃至図１４に示す本発明を実施するための第２の形態において、前記本発明を実施するための第１の形態と主に異なる点は、２枚の板材を互い違いに結合して略クランク状の目地プレート本体１７Ａを用いた目地プレート９Ａにするとともに、上向きコ字状の断面形状を有するレール２本を溶接、螺合等で結合し、と、レール部材８Ａを形成した点で、このような目地装置１Ａにしても、前記本発明を実施するための第１の形態と同様の作用効果を得ることができる。
【００３４】
なお、本実施の形態においては、左右の躯体の壁面間に外壁用目地装置等を図示していないが、必要に応じて外壁用目地装置を用いるとよい。
また、カバープレート支持機構の付勢具としてコイルスプリングを用いるものについて説明したが、支持具の回転軸にゼンマイバネを設けて付勢具としてもよく、支持具の先端（ローラーを設けていない先端）に重り等を用いて自重で直立するように付勢してもよい。
【産業上の利用可能性】
【００３５】
本発明は目地装置を製造する産業で利用される。
【符号の説明】
【００３６】
１、１Ａ：床用目地装置、            ２：目地部、
３：一方の躯体、                    ４：他方の躯体、
５：第１の目地プレート支持部、      ６：第２の目地プレート支持部、
７：ガイド溝、                      ８、８Ａ：レール部材、
９、９Ａ：目地プレート、            １０：カバープレート、
１１：カバープレート支持機構、      １２：滑り部材、
１３：枢支ピン、                    １４：枢支ピン、
１５：支持部材、                    １６：バー部材、
１７、１７Ａ：目地プレート本体、    １８：支持具、
１９：付勢具、                      ２０：付勢具取付部、
２１：ローラー、                    ２２：コロ部材取付部、
２３：コロ部材、                    ２４：カバープレート支持機構取付部。